(57)【要約】【課題】本発明は、プラズマディスプレイ装置を提供する。【解決手段】パネルと、パネルは、スキャン電極及びサステイン電極の形成された上部基板及びスキャン電極に並列して形成された第１隔壁と、第１隔壁と交差する方向に第２隔壁の形成された下部基板を備えて構成され、第１隔壁の高さは、第２隔壁の高さより小さく形成され、上部基板上には、第１隔壁と重なるように補助電極が形成されることを特徴とする。  本発明によれば、縦隔壁より高さが低い横隔壁が形成されることによって、パネルの輝度及び明度を向上させることができ、横隔壁を間に置いた維持電極間のクロストークを防止してパネルの無効電力を減少させることができる。【選択図】図１
2010503176.tif 000002
【特許請求の範囲】
【請求項１】
プラズマディスプレイパネルと、
互いに対向配置された上部基板と下部基板と、
前記上部基板に形成されたスキャン電極とサステイン電極と、
前記下部基板に形成され、前記スキャン電極及びサステイン電極に並列して形成された第１隔壁と、
前記下部基板に形成され、前記第１隔壁と交差する方向に、前記第１隔壁より高い高さに形成された第２隔壁と、
前記上部基板に形成され、前記第１隔壁と重なるように配置される補助電極と、を備えるプラズマディスプレイパネル。
【請求項２】
前記補助電極は、前記スキャン電極及び前記サステイン電極と間隔があることを特徴とする請求項１に記載のプラズマディスプレイパネル。
【請求項３】
前記補助電極の幅は、前記補助電極と前記スキャン電極との間隔及び前記サステイン電極との間隔のうち、少なくとも何れか一つより大きいことを特徴とする請求項２に記載のプラズマディスプレイパネル。
【請求項４】
前記補助電極は、電源と遮断されたフローティング（ｆｌｏａｔｉｎｇ）電極であることを特徴とする請求項１に記載のプラズマディスプレイパネル。
【請求項５】
前記補助電極は、接地（ｅａｒｔｈ）と接続されていることを特徴とする請求項１に記載のプラズマディスプレイパネル。
【請求項６】
前記補助電極に所定の電圧が印加されることを特徴とする請求項１に記載のプラズマディスプレイパネル。
【請求項７】
前記補助電極は、ＩＴＯ（Ｉｎｄｉｕｍ  Ｔｉｎ  Ｏｘｉｄｅ）で形成されることを特徴とする請求項１に記載のプラズマディスプレイ装置。
【請求項８】
前記補助電極は、放電時に発生された紫外線により発光される蛍光体色より暗いことを特徴とする請求項１に記載のプラズマディスプレイパネル。
【請求項９】
前記補助電極は、ブラックマトリックスであることを特徴とする請求項１に記載のプラズマディスプレイ装置。
【請求項１０】
前記補助電極と隣接する両電極は、前記スキャン電極及び前記サステイン電極であることを特徴とする請求項１に記載のプラズマディスプレイパネル。
【請求項１１】
前記補助電極は、不連続的に形成されたことを特徴とする請求項１に記載のプラズマディスプレイ装置。
【請求項１２】
前記補助電極の不連続される所は、前記第２隔壁と重なる位置であることを特徴とする請求項１１に記載のプラズマディスプレイパネル。
【請求項１３】
前記補助電極の幅は、前記第１隔壁の上部幅の０．７倍〜１．３倍であることを特徴とする請求項１に記載のプラズマディスプレイパネル。
【請求項１４】
前記補助電極の幅は、前記第１隔壁の上部幅の０．９倍〜１．１倍であることを特徴とする請求項１に記載のプラズマディスプレイパネル。
【請求項１５】
前記第１隔壁のうち、放電セルを限定する一部は、その中央が前記上部基板方向に膨らんだ形状であることを特徴とする請求項１に記載のプラズマディスプレイパネル。
【請求項１６】
前記第１隔壁は、前記第２隔壁より５μｍ〜３２μｍ低く形成されることを特徴とする請求項１に記載のプラズマディスプレイパネル。
【請求項１７】
前記補助電極の厚さは、前記スキャン電極及び前記サステイン電極のうち、少なくとも何れか一つの厚さと実質的に同じであることを特徴とする請求項１に記載のプラズマディスプレイパネル。
【発明の詳細な説明】
【技術分野】
【０００１】
本発明は、プラズマディスプレイ装置に関し、特に、上部基板上に横隔壁と重なる補助電極を形成することによって、パネルの駆動時に無効電力を減少させることができるプラズマディスプレイ装置に関する。
【背景技術】
【０００２】
一般に、プラズマディスプレイパネル（Ｐｌａｓｍａ  Ｄｉｓｐｌａｙ  Ｐａｎｅｌ、以下、ＰＤＰとする）は、放電空間に設置された電極に所定の電圧を印加して放電を起こし、ガス放電時に発生するプラズマが蛍光体を励起させることによって文字又はグラフィックを含む画像を表示する装置であって、大型化及び軽量化と平面薄型化が容易で、かつ上下左右に広い視野角を提供し、フルカラー及び高輝度を具現することが可能であるという長所がある。
【０００３】
このようなＰＤＰにて画像が表現されるとき、画像の輝度及び明度を向上させるために縦隔壁の高さがより低い横隔壁を適用したＰＤＰが従来に開発されたが、これは、維持電極間にクロストークが発生するという問題点がある。
【発明の概要】
【発明が解決しようとする課題】
【０００４】
本発明は、上記の従来の技術の問題点を改善するために案出されたものであって、その目的は、維持電極に並列した方向に形成された横隔壁と重なるように補助電極を形成することによって、段差の低い横隔壁を介してクロストークが発生するのを防止して、無効電力を最大限減少させることができるようにするプラズマディスプレイ装置を提供することにある。
【課題を解決するための手段】
【０００５】
上記の目的を達成すべく、本発明のプラズマディスプレイパネルは、互いに対向配置された上部基板と下部基板と、前記上部基板に形成されたスキャン電極とサステイン電極と、前記下部基板に形成され、前記スキャン電極及びサステイン電極に並列して形成された第１隔壁と、前記下部基板に形成され、前記第１隔壁と交差する方向に、前記第１隔壁より高い高さに形成された第２隔壁と、前記上部基板に形成され、前記第１隔壁と重なるように配置される補助電極と、を備える。
【０００６】
また、前記補助電極は、前記スキャン電極及び前記サステイン電極と間隔があることを特徴とする。
【０００７】
前記補助電極の幅は、前記補助電極と前記スキャン電極との間隔及び前記サステイン電極との間隔のうち、少なくとも何れか一つより大きいことを特徴とする。
【０００８】
また、前記補助電極は、電源と遮断されたフローティング（ｆｌｏａｔｉｎｇ）電極であるか、接地されるか、所定の電圧が印加されることを特徴とする。
【０００９】
また、前記補助電極は、ＩＴＯ（Ｉｎｄｉｕｍ  Ｔｉｎ  Ｏｘｉｄｅ）で形成されるか、放電時に発生された紫外線により発光される蛍光体色より暗いことを特徴とする。
【００１０】
また、前記補助電極は、ブラックマトリックスであることを特徴とする。
【００１１】
また、前記補助電極と隣接する両電極は、前記スキャン電極及び前記サステイン電極であることを特徴とする。
【００１２】
また、前記補助電極は、不連続的であるか、不連続であれば、その不連続される所は、前記第２隔壁と重なる位置であることを特徴とする。
【００１３】
また、前記補助電極の幅は、前記第１隔壁の上部幅の０．７倍〜１．３倍であるか、又は０．９倍〜１．１倍であることを特徴とする。
【００１４】
また、前記第１隔壁のうち、放電セルを限定する一部は、その中央が前記上部基板方向に膨らんだ形状であることを特徴とする。
【００１５】
また、前記第１隔壁は、前記第２隔壁より５μｍ〜３２μｍ低く形成されることを特徴とする。
【００１６】
また、前記補助電極の厚さは、前記スキャン電極及び前記サステイン電極のうち、少なくとも何れか一つの厚さと実質的に同じであることを特徴とする。
【発明の効果】
【００１７】
本発明のプラズマディスプレイ装置によれば、段差の低い横隔壁を使用するため、パネルの輝度及び明度を向上させることができ、このような横隔壁によるクロストークの発生を防止するために、横隔壁と重なるようにフローティング電極を形成することによって、パネルの無効電力が発生するのを防止するという効果がある。
【００１８】
また、フローティング電極として暗い色を有する金属物質を使用してパネルのコントラストを向上させることができ、ＩＴＯなどのような透明な導電性物質を使用して別途の製造工程無しで容易に製作することもできる。
【図面の簡単な説明】
【００１９】
【図１】本発明に係るプラズマディスプレイパネル（ＰＤＰ）に対した一実施の形態に対する斜視図である。
【図２】本発明に係るプラズマディスプレイパネル（ＰＤＰ）に対した他の実施の形態に対する斜視図である。
【図３Ａ】本発明に係るプラズマディスプレイパネルの隔壁１２１と維持電極対１１１、１１２に関する一実施の形態に対する断面図である。
【図３Ｂ】本発明に係るプラズマディスプレイパネルの隔壁１２１と維持電極対１１１、１１２に関する一実施の形態に対する断面図である。
【図３Ｃ】横隔壁１２１ｂと補助電極１３０を垂直に示す断面図である。
【図３Ｄ】横隔壁の上部幅ｄ１に対した補助電極１３０の幅ｄ２の割合である横軸と輝度とクロストークの程度を示す縦軸で示すグラフである。
【図４Ａ】本発明に係るプラズマディスプレイパネルの電極配置に関する一実施の形態に対する平面図である。
【図４Ｂ】本発明に係るプラズマディスプレイパネルの電極配置に関する一実施の形態に対する平面図である。
【図５】本発明に係るプラズマディスプレイパネルの補助電極に関する一実施の形態に対する平面図である。
【図６】本発明に係るプラズマディスプレイパネルの隔壁の断面に関する一実施の形態に対する断面図である。
【図７】プラズマディスプレイパネルの電極配置に関する一実施の形態に対する平面図である。
【図８】一つのフレーム（ｆｒａｍｅ）を複数のサブフィールドに分けて時分割駆動させる方法に関する一実施の形態に対するタイミング図である。
【図９】横隔壁２１ｂと縦隔壁２１ａとの高さ差に応じる輝度とガス汚染程度を示すグラフである。
【図１０】横隔壁２１ｂと縦隔壁２１ａとの高さ差に応じる輝度とガス汚染程度を示すグラフである。
【図１１】補助電極３０に印加される電圧とクロストークとの関係を示すグラフである。
【発明を実施するための形態】
【００２０】
以下、本発明の好ましい実施の形態を、添付された図１〜図８を参照して詳細に説明する。
【００２１】
図１は、本発明に係るプラズマディスプレイパネル（ＰＤＰ）に対した一実施の形態を斜視図で示すものである。
【００２２】
図１に示すように、プラズマディスプレイパネルは、上部基板１０上に形成される維持電極対であるスキャン電極１１及びサステイン電極１２と、下部基板２０上に形成されるアドレス電極２２とを備える。
【００２３】
維持電極対１１、１２のそれぞれは、通常、酸化インジウム錫（Ｉｎｄｉｕｍ−Ｔｉｎ−Ｏｘｉｄｅ；ＩＴＯ）で形成された透明電極１１ａ、１２ａと、銀（Ａｇ）、クロム（Ｃｒ）等の金属又はクロム／銅／クロム（Ｃｒ／Ｃｕ／Ｃｒ）の積層型若しくはクロム／アルミニウム／クロム（Ｃｒ／Ａｌ／Ｃｒ）の積層型に形成されうるバス電極１１ｂ、１２ｂとを備えて構成される。このとき、バス電極１１ｂ、１２ｂは、透明電極１１ａ、１２ａ上に形成されて抵抗の高い透明電極１１ａ、１２ａによった電圧降下を減らす機能を果たす。
【００２４】
一方、本発明の一実施の形態による維持電極対１１、１２は、透明電極１１ａ、１２ａとバス電極１１ｂ、１２ｂとが積層された構造だけでなく、透明電極１１ａ、１２ａが無しでバス電極１１ｂ、１２ｂのみでも構成されることができる。このような構造は、透明電極１１ａ、１２ａを使用しないので、パネル製造の単価を下げることができるという長所がある。このような構造に用いられるバス電極１１ｂ、１２ｂは、上に挙げた材料以外に感光性材料など多様な材料が可能であろう。
【００２５】
スキャン電極１１とサステイン電極１２とがそれぞれ形成された上部基板１０には、上部誘電体層１３と保護層１４とが積層される。上部誘電体層１３には、放電によって発生された荷電粒子が蓄積され、維持電極対１１、１２を保護する機能を行うことができる。保護層１４は、ガス放電時に発生する荷電粒子のスパッタリング（ｓｐｕｔｔｅｒｉｎｇ）から上部誘電体層１３を保護し、２次電子の放出効率を高めるようになる。
【００２６】
また、アドレス電極２２は、スキャン電極１１及びサステイン電極１２と交差する方向に形成される。また、アドレス電極２２の形成された下部基板２０上には、下部誘電体層２３と隔壁２１とが形成される。また、下部誘電体層２３と隔壁２１との表面には、蛍光体層２４が形成される。
【００２７】
蛍光体層２４は、ガス放電時に発生した紫外線により発光されて、赤色（Ｒ）、緑色（Ｇ）又は青色（Ｂ）のうちの何れか一つの可視光を放出する。ここで、上部／下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
【００２８】
隔壁２１は、アドレス電極２２と並列した方向に形成された縦隔壁２１ａと、アドレス電極２２と交差する方向に形成された横隔壁２１ｂとで構成され、放電セルを物理的に区分し、放電により生成された紫外線と可視光とが隣接した放電セルに漏れるのを防止する。
【００２９】
一方、本発明の一実施の形態では、Ｒ、Ｇ及びＢ放電セルのそれぞれが同じ線上に配列されると図示及び説明されているが、他の形態に配列されることも可能である。例えば、Ｒ、Ｇ及びＢ放電セルが三角形形状に配列されるデルタ（Ｄｅｌｔａ）タイプの配列も可能であり、放電セルの形状も四角形状だけでなく、五角形、六角形などの多様な多角形状も可能である。
【００３０】
本発明の一実施の形態では、図１に示す縦隔壁２１ａと横隔壁２１ｂとの高さが異なる差のある隔壁構造であって、特に横隔壁２１ｂの高さが縦隔壁２１ｂの高さより低い。これは、パネルの輝度及び明度を向上させ、また、生産工程でガスの排気通路として機能する。
【００３１】
横隔壁２１ｂの高さは、縦隔壁２１ａの高さより５μｍ〜３２μｍに低く形成されることが好ましい。そういう場合、放電セルに蛍光体２３を塗布する工程において、蛍光体２３が隔壁上についても除去しなければならないという面倒さがなくなり、隔壁上に蛍光体が微細についていても輝度及び明度が減少しないという長所がある。また、横隔壁２１ｂの高さが縦隔壁２１ａの高さより５μｍ以上であるとき、ガスの排気が円滑になり、３２μｍ以下であるとき、輝度の減少が大きくない。
【００３２】
図９と図１０は、横隔壁２１ｂと縦隔壁２１ａとの高さ差に応じる輝度とガスの汚染程度を示すグラフである。
【００３３】
図９におけるグラフの縦軸は、輝度であり、横軸は、隔壁間の高さ差である。図９に示すように、輝度は、各隔壁の高さ差が５μｍ以上から約３２μｍ程度である範囲から線形的に減少し、以後約３２μｍを超える地点から急激に減少する。横隔壁２１ｂが低くなるほど、放電セルの表面積は少なくなり、これに比例して、蛍光体の表面積も少なくなる。発光する蛍光体が少なくなるので、輝度も低くなることと見える。
【００３４】
各隔壁の高さ差が大きいほど、排気が容易になる。図１０の縦軸は、ガス汚染程度である酸素と窒素との残留量を示し、横軸は、各隔壁の高さ差である。高さ差が約５μｍ以上である地点から酸素と窒素との残留量が急激に減る。これで、横隔壁２１ｂと縦隔壁２１ａの高さ差は、適正輝度内であり、排気に有利な５μｍ〜３２μｍの範囲が好ましい。
【００３５】
補助電極３０は、維持電極対１１、１２に並列して形成される横隔壁２１ｂと重なるように形成される。補助電極３０は、導電性物質を含み、バー形状を有する。補助電極３０は、維持電極２１やサステイン電極２２の厚さと実質的に同一でありうる。これは、生産工程上同時に生成することが有利で、生産収率を高める。
【００３６】
補助電極３０は、電源と遮断されたフローティング電極でありうる。フローティング電極は、電界を遮断してクロストークを防止する。すなわち、隣接する放電セル間にあるスキャン電極とサステイン電極との間の電位差が多く生じないようにして、不必要な誤放電を防止する。補助電極３０は、電源と遮断されていても良く、接地に接続されていても良い。この場合、補助電極３０は、接地電圧を維持して、互いに異なる放電セルにあるスキャン電極とサステイン電極とに印加される電圧の影響を少なく受けることができる。又は、補助電極３０に所定の電圧を印加しても同じ効果を表す。図１１は、補助電極３０に印加される電圧とクロストークとの関係を示すグラフである。図１１の横軸は、補助電極３０に印加される電圧であり、縦軸は、クロストークの発生程度を示す。図１１に示すように、補助電極３０の電位が３０Ｖまでは、クロストークの発生程度が少ないが、３０Ｖを超えると、クロストークが急激に増える。これは、維持電極のうちの何れか一つとの電位差が大きくなって生じることと解析される。したがって、補助電極３０に印加される電圧は、−３０Ｖ〜３０Ｖが好ましい。
【００３７】
本実施の形態において補助電極３０は、スキャン電極１１及びサステイン電極１２と間隔がある。間隔がないと、スキャン電極１１とサステイン電極１２との間の抵抗が０になってショットされて、駆動回路が作動しなくなる。また、補助電極３０の幅は、スキャン電極１１及びサステイン電極１２との間隔より大きくなければならない。このようにすることにより、クロストークの発生を減らすことができるためである。
【００３８】
図２は、本発明に係るプラズマディスプレイパネル（ＰＤＰ）に対した他の実施の形態を斜視図で示すものである。図１を参照して述べる。
【００３９】
ＰＤＰには、上部基板１０の外部から発生する外部光を吸収して、反射されるのを減らす光遮断の機能と上部基板１０のピュリティ（ｐｕｒｉｔｙ）と、ＰＤＰのコントラストとを向上させる機能を行うブラックマトリックス（Ｂｌａｃｋ  Ｍａｔｒｉｘ、ＢＭ）が形成される。
【００４０】
本発明の実施の形態に係るブラックマトリックス１５は、透明電極１１ａ、１２ａとバス電極１１ｂ、１２ｂとの間に形成される第１ブラックマトリックス１５ａ、１５ｂと補助電極３０上に形成される第２ブラックマトリックス１５ｃとがある。
【００４１】
ここで、第１ブラックマトリックス１５ａ、１５ｂとブラック層又はブラック電極層とも呼ばれる第２ブラックマトリックス１５ｃとは、形成過程で同時に形成されて物理的に接続されても良く、同時に形成されなくて物理的に接続されなくても良い。
【００４２】
また、物理的に接続されて形成される場合、第１ブラックマトリックス１５ａ、１５ｂと第２ブラックマトリックス１５ｃとは、同じ材質で形成されるが、物理的に分離されて形成される場合には、他の材質で形成されることができる。第２ブラックマトリックス１５ｃは、形成されなくても良い。以下で述べる。
【００４３】
補助電極３０の材料は、維持電極に含まれる透明電極と同じ材質であるＩＴＯを使用しても良く、バス電極と同じ材質などのような金属物質を使用して形成しても良い。製造時に別途の材料及び追加工程がなくても容易に形成できるようにすることができる。
【００４４】
補助電極３０を色の暗い金属物質で形成する場合には、パネルのコントラストを向上させる効果がある。この場合、パネルに形成されるブラックマトリックスに代えて使用されることもできる。すなわち、補助電極３０は、少なくとも蛍光体の色より暗いものが好ましい。これは、外部光を吸収して眩しさを減らす機能も果たす。補助電極３０がマトリックスを代えるか、又は蛍光体色より暗い場合、本実施の形態で第２ブラックマトリックスは形成されずに、第１ブルラックマトリックスのみが形成されることができる。
【００４５】
補助電極３０は、維持電極が形成される時に共に形成されることが生産工程上有利であり、かつ収率も高まる。したがって、補助電極３０の厚さは、スキャン電極１１やサステイン電極１２の厚さと実質的に同一でありうる。
【００４６】
図３Ａ及び図３Ｂは、本発明に係るプラズマディスプレイパネルの隔壁１２１と維持電極対１１１、１１２に関する一実施の形態に対する断面図を示したものである。
【００４７】
補助電極１３０の幅は、横隔壁１２１ｂの上部幅より少し大きいか、少し小さくありうる。図３Ａは、補助電極１３０の幅がより大きい場合を、図３Ｂは、補助電極１３０の幅がより小さい場合を示す。
【００４８】
図３Ｃは、横隔壁１２１ｂと補助電極１３０とを垂直に示す断面図であり、図３Ｄは、横隔壁の上部幅ｄ１に対した補助電極１３０の幅ｄ２の割合である横軸と輝度とクロストークの程度を示す縦軸で示すグラフである。
【００４９】
横隔壁の上部幅ｄ１に対した補助電極１３０の幅ｄ２の割合が約０．７倍以上でクロストークが急激に減少し、約１．３倍以上では、輝度が急激に小さくなる。したがって、横隔壁の上部幅ｄ１に対した補助電極１３０の幅ｄ２の割合が０．７倍〜１．３倍であることが好ましい。さらに好ましくは、０．９倍〜１．１倍であるが、１．１倍以下で輝度がほとんど低くならず、０．９倍以上でクロストークの発生頻度が極めて低く、その大きさの変化がないためである。
【００５０】
図４Ａ、図４Ｂは、本発明に係るプラズマディスプレイパネルの電極配置に関する一実施の形態に対する平面図である。
【００５１】
図４Ａ、図４Ｂに示すように、補助電極２３０と隣接する両電極は、スキャン電極２１０とサステイン電極２２０とが配置される構造を有することができる。この場合には、サステイン放電が安定し、補助電極２３０と隣接する電極がスキャン電極２１０とサステイン電極２２０のうちの何れか一つである場合に比べて消費電力が少ないという長所がある。しかしながら、スキャン電極２１０とサステイン電極２２０とに電圧が交互に印加されて電位差が大きくなるので、クロストークの発生確率が高まる。
【００５２】
これにより、本実施の形態では、フローティング電極２３０を横隔壁２２１ｂと重なるように形成して、クロストークが発生するのを防止することができる。
【００５３】
図５は、本発明に係るプラズマディスプレイパネルの補助電極に関する一実施の形態に対する平面図である。
【００５４】
補助電極３３０は、不連続であっても良い。図５に示すように、補助電極３３０は、横隔壁３２１ｂと重なる位置でのみ形成され、縦隔壁３２１ａと重なる所では形成されなくても良い。材料費の低減効果などがある。
【００５５】
図６の（ａ）、図６の（ｂ）及び図６の（ｃ）は、本発明に係るプラズマディスプレイパネルの隔壁の断面に関する一実施の形態に対する断面図である。
【００５６】
横隔壁４２０、４３０、４４０の高さが縦隔壁４１０の高さより低く形成されて、生産工程においてガスの排気通路として機能する。図６の（ａ）に示すように、横隔壁４２０の上部は平らであるか、又は図６の（ｂ）に示すように中央が膨らんだ形状、又は図６の（ｃ）に示すように中央が凹んだ形状でありうる。横隔壁の中央が膨らんだ形状の場合、クロストークの誘発をより減らすことができるという長所がある。
【００５７】
図７は、プラズマディスプレイパネルの電極配置に関する一実施の形態に対する平面図であって、プラズマディスプレイパネルを構成する複数の放電セルは、図７に示すように、マトリックス状に配置されることが好ましい。
【００５８】
複数の放電セルは、各々スキャン電極ラインＹ１〜Ｙｍ、サステイン電極ラインＺ１〜Ｚｍ及びアドレス電極ラインＸ１〜Ｘｎの交差部に設けられる。スキャン電極ラインＹ１〜Ｙｍは、順次駆動されるか、同時に駆動されることができ、サステイン電極ラインＺ１〜Ｚｍは、同時に駆動されうる。アドレス電極ラインＸ１〜Ｘｎは、奇数番目のラインと偶数番目のラインとに分割されて駆動されるか、又は順次駆動されることができる。
【００５９】
図７に示す電極配置は、本発明によるプラズマパネルの電極配置に対する一実施の形態に過ぎないので、本発明は、図７に示すプラズマディスプレイパネルの電極配置及び駆動方式に限定されない。例えば、前記スキャン電極ラインＹ１〜Ｙｍのうちの２個のスキャン電極ラインが同時にスキャニングされるデュアルスキャン（ｄｕａｌ  ｓｃａｎ）方式も可能である。また、前記アドレス電極ラインＸ１〜Ｘｎは、パネルの中央部分から上下に分割されて駆動されうる。
【００６０】
図８は、一つのフレーム（ｆｒａｍｅ）を複数のサブフィールドに分けて時分割駆動させる方法に対する一実施の形態をタイミング図で示すものである。単位フレームは、時分割階調表示を実現するために所定の個数、例えば８個のサブフィールドＳＦ１，．．．，ＳＦ８に分割されることができる。また、各サブフィールドＳＦ１，．．．，ＳＦ８は、リセット区間（図示せず）と、アドレス区間Ａ１，．．．，Ａ８及びサステイン区間Ｓ１，．．．，Ｓ８に分割される。
【００６１】
ここで、本発明の一実施の形態によれば、リセット区間は、複数のサブフィールドのうち、少なくとも一つから省略されうる。例えば、リセット区間は、最初のサブフィールドでのみ存在するか、最初のサブフィールドと全サブフィールドのうち、中間程度のサブフィールドでのみ存在することもできる。
【００６２】
各アドレス区間Ａ１，．．．，Ａ８では、アドレス電極Ｘにアドレス信号が印加され、各スキャン電極Ｙに相応するスキャン信号が一つのスキャン電極ラインずつ順次印加される。各サステイン区間Ｓ１，．．．，Ｓ８では、スキャン電極Ｙとサステイン電極Ｚとにサステイン信号が交互に印加されて、アドレス区間Ａ１，．．．，Ａ８にて壁電荷の形成された放電セルでサステイン放電を起こす。
【００６３】
プラズマディスプレイパネルの輝度は、単位フレームにおいて占めるサステイン放電区間Ｓ１，．．．，Ｓ８内のサステイン放電パルスの個数に比例する。１画像を形成する一つのフレームが、８個のサブフィールドと２５６階調で表現される場合に、各サブフィールドには、順に１、２、４、８、１６、３２、６４、１２８の割合で互いに異なるサステイン信号の数が割り当てられることができる。万一、１３３階調の輝度を得るためには、サブフィールド１区間、サブフィールド３区間及びサブフィールド８区間の間にセルをアドレッシングして、サステイン放電すれば良い。
【００６４】
各サブフィールドに割り当てられるサステイン放電の数は、ＡＰＣ（Ａｕｔｏｍａｔｉｃ  Ｐｏｗｅｒ  Ｃｏｎｔｒｏｌ）ステップに応じるサブフィールドの加重値によって可変的に決定されることができる。すなわち、図８では、一つのフレームを８個のサブフィールドに分割する場合を例に挙げて説明したが、本発明は、それに限定されず、一つのフレームを形成するサブフィールドの数を設計仕様によって多様に変形することが可能である。例えば、一つのフレームを１２又は１６サブフィールドなどのように、８サブフィールド以上に分割してプラズマディスプレイパネルを駆動させることができる。また、各サブフィールドに割り当てられるサステイン放電の数は、ガンマ特性やパネル特性を考慮して多様に変形することが可能である。例えば、サブフィールド４に割り当てられた階調度を８から６に下げ、サブフィールド６に割り当てられた階調度を３２から３４に上げることができる。
【００６５】
このように駆動されるＰＤＰは、一定期間の間に同じ画面が連続的に表示される停止映像又は同じ階調で表示される場合にも、これを表現するために複数のサブフィールド各々は、同じサステイン放電を起こす。このような場合、同じ画面及び階調を表示するために、該当する蛍光体が継続的に付けられなければならないので、蛍光体の劣化現象が発生するようになる。これによって、階調が変わるか、又は他の画面に変わる場合に、画面から残像又は輝度減少などの問題が発生するようになるものである。このような問題点を防止するために、本発明は、通常使用されるＩＳＭ（Ｉｍａｇｅ  ｓｔｉｃｋｉｎｇ  ｍｉｎｉｍｉｚａｔｉｏｎ）モード、すなわち同じ画面が表示されることを感知してサステインパルスの数を減少させる駆動を優先的に使用する。
【００６６】
上記のように構成される本発明のプラズマディスプレイ装置は、段差の低い横隔壁を使用するため、パネルの輝度及び明度を向上させることができ、このような横隔壁によるクロストークの発生を防止するために、横隔壁と重なるようにフローティング電極を形成することによって、パネルの無効電力が発生するのを防止するという効果がある。
【００６７】
また、フローティング電極として暗い色を有する金属物質を使用してパネルのコントラストを向上させることができ、ＩＴＯなどのような透明な導電性物質を使用して別途の製造工程無しで容易に製作することもできる。
【００６８】
以上、本発明の好ましい実施の形態について詳細に述べたが、本発明の属する技術分野における通常の知識を有したものであれば、添付された請求の範囲に定義された本発明の精神及び範囲から逸脱しない範囲内で本発明を様々な形態に変形又は変更して実施できることが分かる。したがって、本発明の以後の実施の形態の変更は、本発明の技術に属する。
【図１】
2010503176.tif 000003
【図２】
2010503176.tif 000004
【図３Ａ】
2010503176.tif 000005
【図３Ｂ】
2010503176.tif 000006
【図３Ｃ】
2010503176.tif 000007
【図３Ｄ】
2010503176.tif 000008
【図４Ａ】
2010503176.tif 000009
【図４Ｂ】
2010503176.tif 000010
【図５】
2010503176.tif 000011
【図６】
2010503176.tif 000012
【図７】
2010503176.tif 000013
【図８】
2010503176.tif 000014
【図９】
2010503176.tif 000015
【図１０】
2010503176.tif 000016
【図１１】
2010503176.tif 000017
【国際調査報告】
2010503176.tif 000018
2010503176.tif 000019